(57)【要約】【目的】簡単な構成で電圧検出型信号レベル検出器の検出誤差を適正に補正可能なことを課題とする。【構成】入力信号の信号レベルを検出する電圧検出型の対数増幅器１と、前記入力信号の平均レベルとピークレベルとの比からなるピ−クファクタを求めるピークファクタ演算手段２と、予め各ピークファクタ値の対応に前記対数増幅器１で検出された信号レベルに対する補正値を記憶している補正テーブル３と、前記対数増幅器１で検出された信号レベルを前記補正テーブル３から読み出したピークファクタ対応の補正値で補正する補正手段４とを備える。【選択図】  図１
2004228836.tif 000002
【特許請求の範囲】
【請求項１】
入力信号の信号レベルを検出する電圧検出型の対数増幅器と、
前記入力信号の平均レベルとピークレベルとの比からなるピ−クファクタを求めるピークファクタ演算手段と、
予め各ピークファクタ値の対応に前記対数増幅器で検出された信号レベルに対する補正値を記憶している補正テーブルと、
前記対数増幅器で検出された信号レベルを前記補正テーブルから読み出したピークファクタ対応の補正値で補正する補正手段と、を備えることを特徴とする信号レベル検出装置。
【請求項２】
受信信号の信号レベルを検出する電圧検出型の対数増幅器と、
前記対数増幅器の検出出力を対応する受信電界強度データに変換する変換手段と、
前記受信信号の平均レベルとピークレベルとの比からなるピ−クファクタを求めるピークファクタ演算手段と、
予め各ピークファクタ値の対応に前記変換された受信電界強度データに対する補正値を記憶している補正テーブルと、
前記対数増幅器で検出され、かつ前記変換手段で変換された受信電界強度データを前記補正テーブルから読み出したピークファクタ対応の補正値で補正する補正手段と、を備えることを特徴とする信号レベル検出装置。
【請求項３】
対数増幅器で検出された信号レベルが所定の閾値範囲を超える場合は、その旨を外部に通知することを特徴とする請求項１又は２に記載の信号レベル検出装置。
【請求項４】
対数増幅器で検出された信号レベルが所定の閾値範囲を超える場合は、補正手段による補正を行わないことを特徴とする請求項３に記載の信号レベル検出装置。
【請求項５】
入力信号は受信ＲＦ信号を中間周波に周波数変換及び直交復調したベースバンド信号であることを特徴とする請求項１又は２に記載の信号レベル検出装置。
【発明の詳細な説明】
【０００１】
【発明の属する技術分野】
本発明は信号レベル検出装置に関し、更に詳しくは無線受信機における受信電界強度の検出に適用して好適なるものである。
【０００２】
【従来の技術】
近年、無線機における受信電界強度（ＲＳＳＩ：Ｒｅｃｅｉｖｅｄ  Ｓｉｇｎａｌ  Ｓｔｒｅｎｇｔｈ  Ｉｎｄｉｃａｔｏｒ）の検出精度への要求が高まっており、例えばＣＤＭＡ（Ｃｏｄｅ  Ｄｉｖｉｓｉｏｎ  Ｍｕｌｔｉｐｌｅ  Ａｃｃｅｓｓ  ）方式の移動通信システムでは、基地局と移動局間の距離に起因する伝送品質の劣化（即ち、遠近問題）を解決すべく、通常、±１ｄＢ以下の検出精度が必要とされている。
【０００３】
また、最小限のハードウェアに各種変調方式のソフトウェアをダウンロードすることにより複数変調方式に対応可能な所謂ソフトウェア無線機の実現も研究されており、該ソフトウェア無線機を使用して違法無線機からの送出電波有無を判定するには、受信電界強度につき±数ｄＢ以下の検出精度が要求されている。
【０００４】
係る状況の下、受信電界強度（以下、ＲＳＳＩと称す）の検出には、検出ダイナミックレンジが広いこと、及び検出デバイスの低価格等の理由により、対数増幅器を使用した電圧検出型のＲＳＳＩ検出器が広く用いられている。
【０００５】
図５（Ａ）に一例のＲＳＳＩ検出器のブロック図を示す。図において、ＲＳＳＩ検出器２１は、複数の差動アンプ２１１を多段に縦列接続した対数増幅器（ログアンプ）として構成され、入力信号ＳＩＧ＋ＩＮ，ＳＩＧ−ＩＮの振幅が大きいほど飽和するアンプ２１１の数が増加し、リニア動作するアンプ２１１の数が減少する。逆に、入力信号の振幅が小さいほど飽和するアンプ２１１の数が減少し、リニア動作するアンプ２１１の数が増加する。この状態で、各アンプ２１２は、飽和したアンプ２１１の出力を例えば「１」に正規化するように調整されており、各アンプ２１２の出力信号を加算部（Σ）２１３で加算することにより出力電圧ＬＯＧＯＵＴを生成している。
【０００６】
図５（Ｂ）にＲＳＳＩ検出器２１の入力電界−出力電圧特性を示す。一般に、市販のＲＳＳＩ検出器にはリニア動作する領域とノンリニア動作する領域とが含まれるが、この例では入力電界が−７０ｄＢｍ〜−２０ｄＢｍの範囲内における出力電圧はリニア特性を示すが、その前／後の各領域ではノンリニア特性を示している。正確なＲＳＳＩはリニア領域で検出するのが好ましいが、実用の無線システムでは、ノンリニア領域の受信レベルが入力する場合も少なくない。
【０００７】
一般に、このようなＲＳＳＩ検出器２１の出力電圧は、所定の変換テーブルによって対応する受信電界強度（ＲＳＳＩ）値に変換される。図６（Ａ）に一例の変換テーブルを示す。図において、ＲＳＳＩ検出器２１の各検出電圧（Ｖ）に対応して、メモリ（変換テーブル）の入力アドレス（ｈｅｘ）、該アドレスに記憶されているＲＳＳＩデータ（ｄＢｍ）及び又は該ＲＳＳＩデータに対応するｈｅｘデータ（ｈｅｘ）が示されている。例えば、ＲＳＳＩ検出器２１の出力電圧＝０．８４Ｖの場合は、メモリの入力アドレス＝８０ｈｅｘで  あり、出力のＲＳＳＩ＝−５０ｄＢｍと同定（推定）される。また同様にして、出力電圧＝１．２６Ｖの場合は、出力のＲＳＳ＝−３０ｄＢｍと同定される。
【０００８】
なお、変換精度向上のためにテーブルの各データ間を直線近似等により補間する場合もある。図６（Ｂ）に直線補間したグラフ図を示す。こうすれば、上記の出力電圧０．８４Ｖ→５３ｄＢｍに、また出力電圧１．２６Ｖ→−３２ｄＢｍとより精密に同定される。
【０００９】
しかるに、このような電圧検出型のＲＳＳＩ検出器２１では、ログアンプが入力の電圧波形に依存する特性を有するため、入力信号の電圧波形に応じて出力電圧値にオフセット（誤差）が生じる。図７（Ａ）に各種入力波形に対する出力電圧のオフセット値の態様を示す。ここでは、入力信号がＤＣ信号又は矩形信号の場合を基準として他の各種入力信号波形に対する出力電圧のオフセット（誤差）値が示されている。
【００１０】
更に、ＣＤＭＡ受信機では、コード多重数の増加によって各コードの拡散信号が夫々の初期位相に従って電圧加算され、受信波形が変化するため、同一の受信電力でも、コード多重数によってＲＳＳＩ検出器２１の出力電圧にオフセットが生じてしまい、ＲＳＳＩ値の検出誤差を生じる。図７（Ｂ）にＮ−ＣＤＭＡシステムにおけるコード多重数に応じた入力電界−出力電圧特性を示す。図によれば、単一コードに対して１０コードでは約４ｄＢ程度の誤差が生じている。従来のＣＤＭＡ通信では、受信チャネル多重数に関わらず単一の変換テーブルを使用してＲＳＳＩ値を同定するため、チャネル多重数に応じた誤差を生じていた。
【００１１】
このように、従来の電圧検出型ＲＳＳＩ検出器の出力電圧は、ＣＤＭＡシステムの場合はコード多重数（即ち、同時通信中のユーザ数）に応じた検出誤差が、また複数変調方式を有する通信システムでは、使用する変調方式に応じた検出誤差が生じていた。
【００１２】
かかる状況の下、従来は、以下の様な受信電界強度補償方法が知られている（特許文献１）。即ち、端末局では、同一キャリアの多重数（即ち、信号波形の相違）に応じた補償用パラメータを基地局に送信すると共に、該基地局ではその受信信号につき自局で検出したＲＳＳＩ信号を前記端末局から受信した補償用パラメータを使用して補正するものである。また、従来は、予め標準信号発生器の出力レベルを測定することで、規定値からの検出誤差を補正するような補正テーブルを作成し、これをＲＯＭに記憶して使用するものが知られている（特許文献２）。
【００１３】
【特許文献１】
特開２００２−１９０７８９
【００１４】
【特許文献２】
特開平１１−６８６０７号公報（段落「００３７」、図４）
【００１５】
【発明が解決しようとする課題】
しかし、上記従来方式では、基地局側で送信局（端末局）から送られる補償用パラメータを受信しないと、ＲＳＳＩ値の正しい補償が行えないため、送信局側に課される負担が大きい。また、複数変調方式を有する通信システムでは、受信局側で変調方式数分の変換テーブルを備えておく必要があり、回路規模の増大を招いていた。
【００１６】
本発明は上記従来技術の問題点に鑑みなされたもので、その目的とする所は、簡単な構成で電圧検出型信号レベル検出器の検出誤差を適正に補正可能な信号レベル検出装置を提供することにある。
【００１７】
【課題を解決するための手段】
上記の課題は例えば図１の構成により解決される。即ち、本発明（１）の信号レベル検出装置は、入力信号の信号レベルを検出する電圧検出型の対数増幅器１と、前記入力信号の平均レベルとピークレベルとの比からなるピ−クファクタを求めるピークファクタ演算手段２と、予め各ピークファクタ値の対応に前記対数増幅器１で検出された信号レベルに対する補正値を記憶している補正テーブル３と、前記対数増幅器１で検出された信号レベルを前記補正テーブル３から読み出したピークファクタ対応の補正値で補正する補正手段４と、を備えるものである。
【００１８】
本発明（１）によれば、電圧検出型対数増幅器の検出誤差を、受信側で独自に求めたピ−クファクタ値に基づいて補正できるため、送信側に補償用パラメータ等を送信させる負担を必要としない。また、前記対数増幅器の検出誤差を、入力信号波形の差異の情報によらず、入力信号波形の特性を良く表す単一かつ共通のピークファクタ値に基いて補正するため、簡単な構成により様々な入力信号波形のレベル検出に適正に対処できる。
【００１９】
また本発明（２）の信号レベル検出装置は、受信信号の信号レベルを検出する電圧検出型の対数増幅器と、前記対数増幅器の検出出力を対応する受信電界強度データに変換する変換手段と、前記受信信号の平均レベルとピークレベルとの比からなるピ−クファクタを求めるピークファクタ演算手段と、予め各ピークファクタ値の対応に前記変換された受信電界強度データに対する補正値を記憶している補正テーブルと、前記対数増幅器で検出され、かつ前記変換手段で変換された受信電界強度データを前記補正テーブルから読み出したピークファクタ対応の補正値で補正する補正手段と、を備えるものである。従って、受信電界強度に変換後の検出データを適正に補正できる。
【００２０】
本発明（３）では、上記本発明（１）又は（２）において、対数増幅器で検出された信号レベルが所定の閾値範囲を超える場合は、その旨を外部に通知するものである。従って、対数増幅器の検出特性がノンリニア領域にあるような場合を外部に通知でき、信号レベル検出装置の信頼性向上につながる。
【００２１】
本発明（４）では、上記本発明（３）において、対数増幅器で検出された信号レベルが所定の閾値範囲を超える場合は、補正手段による補正を行わないものである。従って、対数増幅器の検出特性がノンリニア領域にあるような場合の検出出力には補正を加えないことにより、外部では、不必要に補正する前の元の検出データを忠実に把握できる。
【００２２】
本発明（５）では、上記本発明（１）又は（２）において、入力信号は受信ＲＦ信号を中間周波に周波数変換及び直交復調したベースバンド信号である。従って、ベースバンド帯域の信号レベルを適正に検出できる。
【００２３】
【発明の実施の形態】
以下、添付図面に従って本発明に好適なる実施の形態を詳細に説明する。なお、全図を通して同一符号は同一又は相当部分を示すものとする。
【００２４】
図２は第１の実施の形態による受信部のブロック図で、例えばＰＤＣ（Ｐｅｒｓｏｎａｌ  Ｄｉｇｉｔａｌ  Ｃｅｌｌｕｌａｒ）方式による受信部への適用例を示している。図において、１１はアンテナ、１２はＲＦ帯域のバンドパスフィルタ（ＢＰＦ）、１３は低雑音アンプ（ＬＮＡ）、１４は局部発振器（Ｌｏ）、１５は周波数変換部（ＭＩＸ）、１６は中間周波帯域のバンドパスフィルタ（ＢＰＦ）、１７は中間周波増幅器（ＩＦＡ）、１８はＡ／Ｄ変換器（Ａ／Ｄ）、１９はＱＰＳＫ等による直交復調部、２１は例えば上記図５（Ａ）に示したような対数増幅器を含む電圧検出型のＲＳＳＩ検出部、２２はＡ／Ｄ変換器、２３はＲＳＳＩ検出部２１の検出電圧を対応するＲＳＳＩ値に変換するための変換テーブル（例えば上記図６（Ａ）の変換テーブルに相当）である。
【００２５】
更に本第１の実施の形態は、ＲＳＳＩ検出部２１の検出電圧に係る検出データＲＳＳＩｄを復調ベースバンド信号に基き求めたピークファクタ値対応の補正電圧データで補正すると共に、該補正後の信号電圧データＲＳＳＩｈで変換テーブル２３をアクセスし、適正なＲＳＳＩ値ＲＳＳＩｔに変換する場合を示している。これに関係する構成を述べると、３０は補正データ生成部、３１はピークレベル検出部、３２は平均レベル検出部、３３はピークファクタ演算部、３４は予め各ピークファクタ値の対応にＲＳＳＩ検出部２１で検出された検出電圧ＲＳＳＩｄに対する補正値を記憶している補正テーブル、３５は加算器（補正部）、３６はＲＳＳＩ検出部２１の検出電圧ＲＳＳＩｄと所定閾値ＴＨｄとを比較する比較部、３７は比較部３６の比較結果（範囲内／外）に基きＲＳＳＩ検出部２１の検出電圧データＲＳＳＩｄ又はデータ「０」を選択するセレクタ（ＳＥＬ）である。
【００２６】
係る構成により、今、少なくともナイキスト周波数でサンプリングされた直交復調データをＩ，Ｑとすると、これらの時系列からなる各時点の瞬時パワーはＩ１２＋Ｑ１２，Ｉ２２＋Ｑ２２，Ｉ３２＋Ｑ３２，…等により表される。この状態で、ピークレベル検出部３１は、所定区間に渡る各瞬時パワーのピーク値を検出する。例えば、各瞬時パワーの大きさを順に比較して最大のものを検出し、保持する。この場合に、検出区間は、固定とし、又は外部より設定可能としてもよい。また検出周期は、所定区間毎にピークレベルを検出し、又はピーク検出する区間を順次スライドさせる移動ピーク検出としてもよい。
【００２７】
平均レベル検出部３２は、所定区間に渡る各瞬時パワーの平均値を求める。この場合に、平均区間は、固定とし、又は外部より設定可能としてもよい。また平均周期は、所定区間毎に平均化し、又は平均化する区間を順次スライドさせる移動平均としてもよい。好ましくは、上記ピークを検出する区間、周期と平均を求める区間、周期とを合わせる。
【００２８】
そして、ピークファクタ演算部３３は、前記求めたピ−ク値と平均値との比（例えばピ−ク値／平均値）からなるピークファクタを求め、これを補正テーブル３４に提供する。これにより補正テーブル３４からは、該ピークファクタ値対応の補正値（補正用電圧データ）が読み出される。なお、補正テーブルについては後述する。
【００２９】
一方、ＲＳＳＩ検出部２１の検出電圧はＡ／Ｄ変換器２２によりＡ／Ｄ変換され  検出データＲＳＳＩｄとして出力される。そして、今、セレクタ３７が端子ａ側を選択しているとすると、加算器３５ではＲＳＳＩ検出部２１の検出電圧データＲＳＳＩｄに補正テーブル３４からの補正用電圧データが加算されて、該補正後の電圧データＲＳＳＩｈが変換テーブル２３に加えられ、こうして、変換テーブル２３からは正しいＲＳＳＩデータＲＳＳＩｔが読み出される。なお、より高精度が必要な場合は、変換テーブル２３内の各データ間を直線等により補間して使用してもよい。また、補正テーブル３４についても同様に補間して使用可能である。
【００３０】
更に、比較器３６はＲＳＳＩ検出部２１の検出データＲＳＳＩｄと所定閾値とを比較しており、検出データＲＳＳＩｄが所定の閾値範囲を超えるか否かを判別している。例えば、入力電力が−７０ｄＢｍ以下の範囲ではＲＳＳＩ検出部２１の検出限界により、及び入力電力が−２０ｄＢｍ以上の範囲ではＲＳＳＩ検出部２１に対する過入力特性により、ＲＳＳＩ検出特性が入力電力に対してリニアな検出特性ではなくなる。この様な場合には、もはや外部に正しいＲＳＳＩ値を提供できないため、その旨を外部（上位の制御部等）に通知する。またセレクタ３７の選択を入力端子ｂ側に切替えることにより、検出データＲＳＳＩｄの補正を行わないようにする。
【００３１】
図３は第２の実施の形態による受信部のブロック図であり、上記図２がＲＳＳＩ検出部２１の検出電圧ＲＳＳＩｄを補正したのに対して、図３は変換テーブル２３により変換後のＲＳＳＩ値ＲＳＳＩｔを補正する場合を示している。従って、この場合の補正テーブル３４は、入力のピークファクタ値に対応して、変換テーブル２３からの出力パワーＲＳＳＩｔを補正するための補正パワーデータを出力するものである。その他の点については、上記図２で述べたものと同様でよい。
【００３２】
次に補正テーブル３４について説明する。補正テーブル３４は、ＲＳＳＩ検出部２１の検出誤差が、その入力信号と直接的又は間接的に関係のある信号のピークファクタ値との関係で一律に補正できるものであれば、この補正テーブル３４を様々に構成できる。この場合に、各ピークファクタ値に対する補正値の導出は、例えば標準信号発生器等から電力（信号レベル）一定を保持しつつピークファクタ値のみを変化させた試験信号をＲＳＳＩ検出部２１に入力すると共に、その元となる基準信号を該ＲＳＳＩ検出部２１に入力した場合との間で出力に表れる誤差レベルを測定することにより、該誤差レベルをゼロにする様な補正値として容易に導出できる。
【００３３】
この点、上記各実施の形態では、例えばＱＰＳＫの復調ベースバンド信号につきピークファクタを求めたが、他の様々な信号波形についてもそのナイキストサンプル値に基き同様の扱いでピークファクタを求められる。
【００３４】
また、上記各実施の形態では、中間周波信号のＲＳＳＩ検出電圧ＲＳＳＩｄをその直交復調ベースバンド信号についてのピークファクタ値に基き得られた補正データで補正する場合を示したが、これに限らない。他にも、例えば図の点線で示す如く、中間周波信号のＲＳＳＩ検出電圧ＲＳＳＩｄを該中間周波信号（Ａ／Ｄ変換出力）についてのピークファクタ値に基き得られた補正データで補正するように構成してもよい。後者の如く、ＲＳＳＩ検出部２１の入力信号と補正データ生成部３０の入力信号とが共通の場合は、入力信号波形の相違により生じる検出誤差をより直接的にかつ効果的に補正できる利点がある。勿論、他の任意周波数段の信号レベルを検出する場合にも適用可能である。
【００３５】
また、上記実施の形態ではＰＤＣ方式による受信部への適用例を述べたが、これに限らない。本発明は、入力信号が、複数チャネル分の信号をコード拡散多重した所謂ＣＤＭＡ信号である場合に適用しても好適である。以下、これを説明する。
【００３６】
図４はピークファクタに基く補正の効果を示す図で、Ｗ−ＣＤＭＡ方式におけるコード拡散多重信号に適用した場合を示している。上記の如く、ＣＤＭＡ受信機では、コード多重数の増加によって各コードの拡散信号が夫々の初期位相に従って電圧加算され、受信波形が変化するため、同一の受信電力でも、コード多重数によってＲＳＳＩ検出部２１の出力電圧にオフセットが生じてしまう。本発明ではこの場合の信号レベルも適正に検出・補正できる。
【００３７】
図４において、横軸は入力信号波形のピークファクタ（対数値で表示）、縦軸は該信号の信号レベル（出力パワー）ｄＢｍである。但し、△印は入力信号（既知）の信号レベル、×は補正前（実測）の出力パワー、●は補正後（目標）の出力パワーを夫々示す。このグラフを見ると、補正前の出力パワー×が各ピークファクタの値に応じて比較的大きく変動しているのに対して、補正後の出力パワー●は、ピークファクタの全区間に渡って入力の信号レベル△とほぼ一致しており、よって高い補正効果が得られている。この様な補正テーブル３４は、各ピークファクタ値における目標の出力パワー●（即ち、既知の入力パワー△）から実測の出力パワー×を差し引くことで容易に生成できる。
【００３８】
また、この補正テーブル３４は、ピークファクタの小さいレンジでは０．１２５ピッチで作成されているのに対して、大きいレンジでは１．０ピッチで作成されている。これは、ピークファクタの小さいレンジでは僅かなピークファクタの変化でも補正データが比較的に大きく変動するのに対して、ピークファクタの大きいレンジでは補正データがあまり変化しないという事実に基いている。従って、この様な補正テーブル３４は、ピークファクタの小さいレンジでは密なピッチで作成し、またピークファクタの大きいレンジでは粗く作成できる。即ち、横軸を対数目盛にできる。従って、広いダイナミックレンジに渡るような各ピークファクタ値に対応する補正値を、より少ないアドレスの補正テーブルにコンパクトに収容できる。
【００３９】
この様に、上記各実施の形態では、各種信号波形の入力をこれらに共通の尺度であるピークファクタで特定する構成により、どのような信号波形に対しても使用できるような共通の補正テーブル３４を生成できる。この補正テーブル３４は、ＲＯＭ等により固定的に設けても、又はＲＡＭ等により外部から設定個可能に設けてもよい。
【００４０】
なお、上記各実施の形態では。補正テーブル３４を採用したが、これに限らない。ピークファクタ値と補正値との間を数式で関係付けられる場合は、求めたピークファクタ値より演算式を用いて補正値を発生してもよい．
また、上記本発明に好適なる複数の実施の形態を述べたが、本発明思想を逸脱しない範囲内で各部の構成、制御、処理及びこれらの組み合わせの様々な変更が行えることは言うまでも無い。
【００４１】
（付記１）（１）  入力信号の信号レベルを検出する電圧検出型の対数増幅器と、前記入力信号の平均レベルとピークレベルとの比からなるピ−クファクタを求めるピークファクタ演算手段と、予め各ピークファクタ値の対応に前記対数増幅器で検出された信号レベルに対する補正値を記憶している補正テーブルと、前記対数増幅器で検出された信号レベルを前記補正テーブルから読み出したピークファクタ対応の補正値で補正する補正手段と、を備えることを特徴とする信号レベル検出装置。
【００４２】
（付記２）（２）  受信信号の信号レベルを検出する電圧検出型の対数増幅器と、前記対数増幅器の検出出力を対応する受信電界強度データに変換する変換手段と、前記受信信号の平均レベルとピークレベルとの比からなるピ−クファクタを求めるピークファクタ演算手段と、予め各ピークファクタ値の対応に前記変換された受信電界強度データに対する補正値を記憶している補正テーブルと、前記対数増幅器で検出され、かつ前記変換手段で変換された受信電界強度データを前記補正テーブルから読み出したピークファクタ対応の補正値で補正する補正手段と、を備えることを特徴とする信号レベル検出装置。
【００４３】
（付記３）（３）  対数増幅器で検出された信号レベルが所定の閾値範囲を超える場合は、その旨を外部に通知することを特徴とする付記１又は２に記載の信号レベル検出装置。
【００４４】
（付記４）（４）  対数増幅器で検出された信号レベルが所定の閾値範囲を超える場合は、補正手段による補正を行わないことを特徴とする付記３に記載の信号レベル検出装置。
【００４５】
（付記５）（５）  入力信号は受信ＲＦ信号を中間周波に周波数変換及び直交復調したベースバンド信号であることを特徴とする付記１又は２に記載の信号レベル検出装置。
【００４６】
（付記６）  入力信号は複数チャネル分の信号がコード拡散多重されたＣＤＭＡ信号であることを特徴とする付記１又は２に記載の信号レベル検出装置。従って、コード拡散多重されたＣＤＭＡ信号の受信レベル（受信電界強度）を、そのコード多重数によらず、受信信号波形の特性をよく表す単一かつ共通のピークファクタ値に基いて、適正に補正できる。これにより、ＣＤＭＡにおける高精度のリモート電力制御が可能になると共に、移動局の移動に伴う高速のレイリーフェージングに対しても安定な受信が可能となる。
【００４７】
（付記７）  補正テーブルは、ピークファクタ値の対数値で参照されるアドレスに対応する補正値を記憶していることを特徴とする付記１又は２に記載の信号レベル検出装置。従って、広いダイナミックレンジに渡るような各ピークファクタ値の補正値を、より少ないアドレスの補正テーブルにコンパクトに収容できる。
【００４８】
【発明の効果】
以上述べた如く本発明によれば、簡単な構成で受信レベルの検出誤差を適正に補正可能となるため、ＣＤＭＡ移動通信システムやソフトウェア無線機等の信頼性向上に寄与するところが極めて大きい。
【図面の簡単な説明】
【図１】本発明の原理を説明する図である。
【図２】第１の実施の形態による受信部のブロック図である。
【図３】第２の実施の形態による受信部のブロック図である。
【図４】ピークファクタに基く補正の効果を説明する図である。
【図５】従来技術を説明する図（１）である。
【図６】従来技術を説明する図（２）である。
【図７】従来技術を説明する図（３）である。
【符号の説明】
１１  アンテナ
１２  バンドパスフィルタ（ＢＰＦ）
１３  低雑音アンプ（ＬＮＡ）
１４  局部発振器（Ｌｏ）
１５  周波数変換部（ＭＩＸ）
１６  バンドパスフィルタ（ＢＰＦ）
１７  中間周波増幅器（ＩＦＡ）
１８，２２  Ａ／Ｄ変換器（Ａ／Ｄ）
１９  直交復調部
２１  ＲＳＳＩ検出部
２３  変換テーブル
３０  補正データ生成部
３１  ピークレベル検出部
３２  平均レベル検出部
３３  ピークファクタ演算部
３４  補正テーブル
３５  加算器（補正部）
３６  比較部
３７  セレクタ（ＳＥＬ）
【図１】
2004228836.tif 000003
【図２】
2004228836.tif 000004
【図３】
2004228836.tif 000005
【図４】
2004228836.tif 000006
【図５】
2004228836.tif 000007
【図６】
2004228836.tif 000008
【図７】
2004228836.tif 000009